(57)【要約】【課題】  一旦接点間の導通状態が遮断されると電力供給を必要とすることなくその遮断状態を確実に自己保持できる熱応動スイッチを提供すること。【解決手段】  ハウジング１の収納室１ａ内部に、固定接点４ａ，５ａと、これら固定接点４ａ，５ａとそれぞれ接離可能な可動接点１０，１１を備えた反転板バネ９と、反転板バネ９の下面側に配置される第１のバイメタル片１２と、反転板バネ９の上面側に配置される第２のバイメタル片１３とを備え、所定の反転温度を超えたときに反転した第２のバイメタル片１３で反転板バネ９を押圧し反転させることで、可動接点１０，１１を固定接点４ａ，５ａから離間させ、所定の復帰温度以下のときに復帰した第１のバイメタル片１２で反転板バネ９を押圧し復帰させることで、可動接点１０，１１を固定接点４ａ，５ａに接触させる。【選択図】  図１
2005071856.tif 000002
【特許請求の範囲】
【請求項１】
内部に収納室を有するハウジングと、前記収納室の内底面に配設された固定接点と、この固定接点に接離可能な可動接点を有する反転板バネと、該反転板バネの一面側に配置され、第１の反転温度で反転し、第１の復帰温度で復帰する第１の熱応動片と、前記反転板バネの他面側に配置され、前記第１の反転温度よりも高い第２の反転温度で反転し、前記第１の復帰温度よりも高い第２の復帰温度で復帰する第２の熱応動片とを備え、
前記第１および第２の熱応動片がいずれも反転動作した際に、前記反転板バネが前記第２の熱応動片で押圧されて反転することにより、前記可動接点が前記固定接点から離間すると共に、前記第１および第２の熱応動片がいずれも復帰動作した際に、前記反転板バネが前記第１の熱応動片で押圧されて復帰することにより、前記可動接点が前記固定接点に接触するように構成したことを特徴とする熱応動スイッチ。
【請求項２】
請求項１の記載において、前記反転板バネを介して相対向する前記収納室の内壁面に、前記第１および第２の熱応動片の周縁部に位置する突部をそれぞれ形成し、これら突部の先端部が前記第１の熱応動片および前記第２の熱応動片の動作時における支持部となるように構成したことを特徴とする熱応動スイッチ。
【請求項３】
請求項１または２の記載において、前記収納室の天井面に突起を形成すると共に、前記第２の熱応動片に該突起が挿通可能な貫通孔を形成し、該貫通孔から突出した前記突起が復帰状態の前記反転板バネを付勢するように構成したことを特徴とする熱応動スイッチ。
【請求項４】
請求項１〜３のいずれかの記載において、前記ハウジングに該ハウジングの外部から前記収納室の内部に達する挿通孔を形成すると共に、該挿通孔にプッシュロッドをスライド可能に支持し、外部から前記プッシュロッドの一端部を押圧することにより、該プッシュロッドの他端部が前記第１の熱応動片を押圧するように構成したことを特徴とする熱応動スイッチ。
【発明の詳細な説明】
【技術分野】
【０００１】
本発明は、電池パックのバッテリ装置における異常発熱を検知して発熱を抑えるサーマルプロテクタ等として用いて好適な熱応動スイッチに関するものである。
【背景技術】
【０００２】
従来より、この種の熱応動スイッチの一例として、一方の端子に接続された固定接点と、他方の端子に順次直列接続された発熱抵抗体および可動接点と、発熱抵抗体に近接して配置された主バイメタルと、発熱抵抗体に並列に接続された電流バイパス手段と、一方の端子と他方の端子との間に接続されたヒーターブロックとを備えたものが知られている（例えば、特許文献１参照。）。主バイメタルは可動接点と連動して動作し、この主バイメタルは所定温度まで加熱されたときに反転し、通常の使用状態に冷却されたときに復帰するように構成されている。また、バイパス手段は副バイメタルを有し、この副バイメタルは主バイメタルの反転温度よりも低い所定の温度まで加熱されたときに変位し、それに伴って発熱抵抗体と電気的に並列接続するように構成されている。
【０００３】
このように構成された熱応動スイッチにおいて、周囲温度が所定温度以下のとき、主バイメタルによって可動接点が固定接点に押し付けられているので、この熱応動スイッチはスイッチオン状態に保たれている。そして、何らかの異常により両端子間に過電流が流れたときに、発熱抵抗体が発熱して主バイメタルを反転動作させるため、可動接点が固定接点から離間して両端子間の導通が遮断され、熱応動スイッチはスイッチオフ状態に切り替わる。このとき、一方の端子と他方の端子との間に接続されたヒーターブロックに一定の電流が流れて発熱を開始し、この発熱によって主バイメタルが熱せられることで、この主バイメタルが通常の使用状態に冷却されて再びスイッチオン状態に復帰してしまうことを防止している。なお、副バイメタルは、発熱抵抗体に定格電流が流れているときに周囲温度が上昇して主バイメタルが反転してしまうことを防止するために、発熱抵抗体に流れる電流をバイパスしてこの発熱抵抗体の発熱を抑制する補助部材である。
【特許文献１】特開平５−２８２９７７号公報（第３−７頁、第１図）
【発明の開示】
【発明が解決しようとする課題】
【０００４】
ところで、前述した従来の熱応動スイッチでは、一旦両端子間の導通を遮断したならばその遮断状態を自己保持することが可能であるものの、導通を遮断した後に両接点の離間状態を保持するのにヒーターブロックへの常時通電が必要となるため、用途によっては不都合を生じることがある。すなわち、このような熱応動スイッチを例えば電池パック等のバッテリ装置に直列に接続し、そのバッテリ装置の充電時におけるサーマルプロテクタとして機能させる場合、バッテリ装置を充電装置等から取り外してしまうとヒーターブロックへの通電が停止して熱応動スイッチの接点が再びスイッチオン状態となってしまうため、異常発熱の原因が解消されないうちにこのバッテリ装置を充電装置に誤って装着してしまうと、再び異常発熱が繰り返されてバッテリ装置が損傷してしまうおそれがあった。
【０００５】
本発明は、このような従来技術の実情に鑑みてなされたもので、その目的は、一旦接点間の導通状態が遮断されると通常の使用状態に冷却されたとしても電力供給を必要とせずにその遮断状態を確実に自己保持できる熱応動スイッチを提供することにある。
【課題を解決するための手段】
【０００６】
上記目的を達成するために、本発明による熱応動スイッチでは、内部に収納室を有するハウジングと、前記収納室の内底面に配設された固定接点と、この固定接点に接離可能な可動接点を有する反転板バネと、該反転板バネの一面側に配置され、第１の反転温度で反転し、第１の復帰温度で復帰する第１の熱応動片と、前記反転板バネの他面側に配置され、前記第１の反転温度よりも高い第２の反転温度で反転し、前記第１の復帰温度よりも高い第２の復帰温度で復帰する第２の熱応動片とを備え、前記第１および第２の熱応動片がいずれも反転動作した際に、前記反転板バネが前記第２の熱応動片で押圧されて反転することにより、前記可動接点が前記固定接点から離間すると共に、前記第１および第２の熱応動片がいずれも復帰動作した際に、前記反転板バネが前記第１の熱応動片で押圧されて復帰することにより、前記可動接点が前記固定接点に接触するように構成した。
【０００７】
このように構成された熱応動スイッチによれば、固定接点に接離可能な可動接点を有する反転板バネを反転および復帰させる駆動源として、反転から復帰までの動作温度範囲が異なる２個の熱応動片を用い、より高い反転温度を有する第２の熱応動片の反転動作で両接点間の導通が遮断し、この第２の熱応動片よりも低い復帰温度を有する第１の熱応動片の復帰動作で両接点間の導通が復帰するように反転板バネを駆動させるので、この反転板バネの反転動作と復帰動作間の動作温度範囲を広く設定することが可能となり、これによって、両接点間の導通を遮断するための所望の温度を確保しつつ、両接点間の導通を復帰させるための温度を通常の使用温度よりも十分に低温側にシフトさせて設定することができる。それ故、通常の使用状態において電力供給を必要とせずに両接点間の遮断状態を確実に自己保持することができる。
【０００８】
また、上記の構成において、前記反転板バネを介して相対向する前記収納室の内壁面に、前記第１および第２の熱応動片の周縁部に位置する突部をそれぞれ形成し、これら突部の先端部が前記第１の熱応動片および前記第２の熱応動片の動作時における支持部となるように構成することが好ましく、このような構成を採用すると、第１の熱応動片と第２の熱応動片が復帰動作および反転動作する際に、各熱応動片の周縁部の支持高さが突部によって嵩上げされるので、各熱応動片の反転板バネに対する押込み量を大きく設定して該反転板バネを確実に動作させることができ、信頼性に優れた熱応動スイッチを実現できる。
【０００９】
また、上記の構成において、前記収納室の天井面に突起を形成すると共に、前記第２の熱応動片に該突起が挿通可能な貫通孔を形成し、該貫通孔から突出した前記突起が復帰状態の前記反転板バネを付勢するように構成することが好ましく、このような構成を採用すると、突起によって復帰状態の反転板バネを付勢することで、この反転板バネに設けられた可動接点を収納室の内底面に配設された固定接点に弾性付勢させることができるので、両接点を安定した状態で接触させることができ、さらに信頼性に優れた熱応動スイッチを実現できる。
【００１０】
また、上記の構成において、前記ハウジングに該ハウジングの外部から前記収納室の内部に達する挿通孔を形成すると共に、該挿通孔にプッシュロッドをスライド可能に支持し、外部から前記プッシュロッドの一端部を押圧することにより、該プッシュロッドの他端部が前記第１の熱応動片を押圧するように構成すると、第１の熱応動片を第１の復帰温度まで冷却しなくとも、ハウジングの外部からプッシュロッドを押圧して第１のメタル片を強制的に復帰方向へ変位させることにより、反転板バネを復帰させて固定接点と可動接点間の導通を復帰状態にリセットすることができるので、操作性に優れた熱応動スイッチを実現することができる。
【発明の効果】
【００１１】
固定接点に接離可能な可動接点を有する反転板バネを反転および復帰させる駆動源として、反転から復帰までの動作温度範囲が異なる２個の熱応動片を用い、より高い反転温度を有する第２の熱応動片の反転動作で両接点間の導通が遮断し、この第２の熱応動片よりも低い復帰温度を有する第１の熱応動片の復帰動作で両接点間の導通が復帰するように反転板バネを駆動させるので、この反転板バネの反転動作と復帰動作間の動作温度範囲を広く設定することが可能となり、これによって、両接点間の導通を遮断するための所望の温度を確保しつつ、両接点間の導通を復帰させるための温度を通常の使用温度よりも十分に低温側にシフトさせて設定することができる。それ故、通常の使用状態において電力供給を必要とせずに両接点間の遮断状態を確実に自己保持することができ、汎用性の高い熱応動スイッチを実現できる。
【発明を実施するための最良の形態】
【００１２】
発明の実施の形態について図面を参照して説明すると、図１は本発明の第１の実施形態例に係る熱応動スイッチの初期状態を示す断面図、図２は該熱応動スイッチの分解斜視図、図３は図１に示す第１の熱応動片が反転動作した状態を示す断面図、図４は図３に示す第２の熱応動片が反転動作した状態を示す断面図、図５は図４に示す第２の熱応動片が復帰動作した状態を示す断面図である。
【００１３】
図１と図２において、符号１は熱応動スイッチの外殻を形成するハウジングであり、このハウジング１は合成樹脂製の下ケース２と上ケース３とを接合・一体化して構成されている。ハウジング１は箱形形状の外観を呈しており、その内部に各ケース２，３をくり貫くように細長形状の収納室１ａが形成されている。下ケース２には固定接点４ａを有する端子４と固定接点５ａを有する端子５とが長手方向（Ｘ−Ｘ方向）の両側壁面から突出するように一体成形されており、これら固定接点４ａと固定接点５ａは収納室１ａの内底面にＸ−Ｘ方向に所定間隔を存して露出している。収納室１ａは短手方向（Ｙ−Ｙ方向）に対向する内側壁面１ｂと、長手方向（Ｘ−Ｘ方向）に対向する内側壁面１ｃと、この内側壁面１ｃに段差を付けて内側壁面１ｂに連続する内側壁面１ｄとを有しており、これら内側壁面１ｂ，１ｃ，１ｄによって後述する反転板バネやバイメタル片が位置決めされるようになっている。また、収納室１ａの内底面において、下ケース２には固定接点４ａ，５ａ間に位置する載置部６が一体形成されている。この載置部６は各固定接点４ａ，５ａの上面よりもやや高い位置に載置面６ａを有すると共に、この載置面６ａの両端部に短手方向（Ｙ−Ｙ方向）に沿って延びる細長形状の突部６ｂを有している。一方、収納室１ａの天井面において、上ケース３には前記両突部６ｂと対向する位置にそれぞれ突部７が一体形成されると共に、これら突部７の間に位置する円筒状の突起８が一体形成されている。
【００１４】
このように構成された収納室１ａの内底面には上方へ凸状に湾曲した導電性の反転板バネ９が載置されている。この反転板バネ９の中央部には反転動作を確実に行わせるためのドーム状反転部９ａが形成されており、反転板バネ９の両端部の下面には導電性の可動接点１０，１１がかしめ固定されている。これら可動接点１０，１１は前記固定接点４ａ，５ａと接離可能であり、図１に示す初期状態においては、これら可動接点１０，１１が固定接点４ａ，５ａにそれぞれ接触することにより両端子４，５間が導通状態となっている。なお、反転板バネ９の長手方向の両端縁が収納室１ａの内側壁面１ｃによって位置決めされ、かつ、短手方向の両端縁が内側壁面１ｂによって位置決めされることで、この反転板バネ９は収納室１ａ内で前後左右方向への移動が規制されている。
【００１５】
反転板バネ９の下面と収納室１ａの内底面との間には上方へ凸状に湾曲した第１のバイメタル片（第１の熱応動片）１２が配置されており、この第１のバイメタル片１２は、平面視矩形状の基部１２ａと、この基部１２ａの四隅から外方へ突出する延出部１２ｂと、基部１２ａの中央部に位置して反転動作を確実に行わせるためのドーム状反転部１２ｃとを有している。このように形成された第１のバイメタル片１２は、基部１２ａの左右方向（Ｘ−Ｘ方向）の両端部が突部６ｂに載置された状態で保持されると共に、各延出部１２ｂの先端縁が内側壁面１ｄに位置決めされ、かつ、基部１２ａの前後方向（Ｙ−Ｙ方向）の両端縁が内側壁面１ｂに位置決めされることにより、収納室１ａ内で前後左右方向の動きが規制されている。
【００１６】
一方、反転板バネ９の上面と収納室１ａの天井面との間には上方へ凸状に湾曲した第２のバイメタル片（第２の熱応動片）１３が配置されており、この第２のバイメタル片１３は、平面視矩形状の基部１３ａと、この基部１３ａの四隅から外方へ突出する延出部１３ｂと、基部１３ａの中央部に位置して反転動作を確実に行わせるためのドーム状反転部１３ｃとを有している。そして、基部１３ａの左右方向（Ｘ−Ｘ方向）の両端部が反転板バネ９の上面に載置された状態で保持されているが、その際、基部１３ａの左右方向両端部が収納室１ａの天井面に形成した突部７と対向するように設定されている。このように形成された第２のバイメタル片１３は、各延出部１３ｂの先端縁が内側壁面１ｄに位置決めされ、かつ、基部１３ａの前後方向（Ｙ−Ｙ方向）の両端縁が内側壁面１ｂに位置決めされることにより、収納室１ａ内で前後左右方向の動きが規制されている。さらに、この第２のバイメタル片１３のドーム状反転部１３ｃの中央部に貫通孔１３ｄが形成されており、この貫通孔１３ｄに収納室１ａの天井面に形成された突起８が挿通し、貫通孔１３ｄから突出した突起８が反転板バネ９の頂上部を付勢している。
【００１７】
前述した第１および第２のバイメタル片１２，１３は、熱膨張係数の異なる２枚の金属板（図示せず）を積層接合したものからなり、それぞれ所定温度を超えると図１に示す初期状態から反転動作し、所定温度以下に冷却されると再び初期状態に復帰動作するようになっている。本実施形態例においては、第１のバイメタル片１２が反転動作する第１の反転温度を３０℃とし、この反転状態から復帰動作する第１の復帰温度を０℃として設定してある。また、第２のバイメタル片１３が反転動作する第２の反転温度を８０℃とし、この反転状態から復帰動作する第２の復帰温度を５０℃として設定してある。ここで、第２の反転温度（８０℃）は両端子４，５間の導通を遮断する遮断温度に対応させて設定している。
【００１８】
次に、このように構成された熱応動スイッチの動作を図１および図３〜図５を用いて説明する。ここでは、熱応動スイッチを例えば複数の電池が直列接続されたバッテリ装置（図示せず）に直列に接続しておき、このバッテリ装置を図示せぬ充電装置に装着して充電する際のサーマルプロテクタとして機能させる場合について説明する。なお、このバッテリ装置の通常の使用状態（ノーマル状態）の温度を仮に１５℃とする。
【００１９】
ノーマル状態の周囲環境下に置かれた初期状態の熱応動スイッチにおいては、図１に示すように、反転板バネ９と第１および第２のバイメタル片１２，１３はいずれも上方へ凸状に湾曲した復帰状態で保持されており、反転板バネ９に設けられた可動端子１０，１１が固定接点４ａ，５ａにそれぞれ当接しているので、この反転板バネ９を介して端子４と端子５とが導通されスイッチオン状態になっている。このような状態のバッテリ装置が充電装置に装着されると、このバッテリ装置には所定の電流が流れて充電が開始される。
【００２０】
そして、何らかの原因によってバッテリ装置が異常発熱して温度が第１の反転温度（３０℃）を超えると、図３に示すように第１のバイメタル片１２が反転動作し、下方へ凸状となった第１のバイメタル片１２は突部６ｂ間に位置する載置面６ａに載置される。このとき、第１のバイメタル片１２は反転板バネ９のドーム状反転部９ａから離間する方向へ変位するため、反転板バネ９には何ら作動力が加わらず、反転板バネ９と第２のバイメタル片１３は復帰状態を維持する。さらに、温度が上昇して第２の反転温度（８０℃）を超えると、図４に示すように第２のバイメタル片１３が突部７を支持面（支持部）として反転動作する。このとき、第２のバイメタル片１３の変位によって反転板バネ９の頂上部が所定量だけ下方へ押圧されるため、反転板バネ９が下方へ凸状に湾曲した状態に反転動作する。その結果、反転板バネ９の両端部に設けられた可動接点１０，１１がそれぞれ固定接点４ａ，５ａから上方に離間するため、端子４と端子５間の導通が遮断されてスイッチオフ状態となる。こうして、バッテリ装置への電流が遮断されて、このバッテリ装置を異常発熱から保護することができる。
【００２１】
熱応動スイッチがスイッチオフ状態になった後に、バッテリ装置への電流が遮断されると、第１および第２のバイメタル片１２，１３が冷却し始める。そして、第２の復帰温度（５０℃）以下に低下すると、図５に示すように第２のバイメタル片１３が上方へ凸状に湾曲した状態に復帰動作する。このとき、第２のバイメタル片１３は反転板バネ９のドーム状反転部９ａから離間する方向へ変位するため、反転板バネ９には何ら作動力が加わらず、反転板バネ９と第１のバイメタル片１２は反転状態を維持する。さらに、温度が低下してノーマル状態（１５℃）に戻ったとしても、このノーマル状態の温度は第１のバイメタル片１２を復帰動作させる第１の復帰温度（０℃）よりも高い温度であるため、第１のバイメタル片１２の反転状態が維持されて反転板バネ９も図５に示す反転状態を維持することになる。
【００２２】
なお、異常発熱の原因が解消された後に熱応動スイッチをスイッチオン状態にリセットする場合には、この熱応動スイッチを第１の復帰温度である０℃以下に冷却して第１のバイメタル片１２を復帰動作させ、この第１のバイメタル片１２の変位により反転板バネ９を上方に押圧して復帰させることで、図１に示すように可動接点１０，１１を固定接点４ａ，５ａに当接させればよい。すなわち、一旦端子４，５間の導通が遮断されると、ノーマル状態において電力供給を必要とせずに両端子４，５間の遮断状態を確実に自己保持することができる。そして、このバッテリ装置を再度充電装置に装着したとしても、バッテリ装置にはもはや電流が流れることはないので、バッテリ装置の異常発熱が繰り返されてこのバッテリ装置が損傷してしまうことを確実に防止することができる。
【００２３】
このように本実施形態例に係る熱応動スイッチでは、固定接点４ａ，５ａに接離可能な可動接点１０，１１を有する反転板バネ９を反転および復帰させる駆動源として、反転から復帰までの動作温度範囲が異なる第１および第２のバイメタル片１２，１３を用い、より高い反転温度（８０℃）を有する第２のバイメタル片１３の反転動作で両端子４，５間の導通が遮断し、この第２のバイメタル片１３よりも低い復帰温度（０℃）を有する第１のバイメタル片１２の復帰動作で両端子４，５間の導通が復帰するように反転板バネ９を駆動させるので、反転板バネ９の反転動作と復帰動作間の動作温度範囲を０℃〜８０℃というように広く設定することが可能となり、これによって、両端子４，５間の導通を遮断するための所望の温度を確保しつつ、両端子４，５間の導通を復帰させるための温度を通常の使用温度よりも十分に低温側にシフトさせて設定することができる。それ故、ノーマル状態において電力供給を必要とせずに両端子４，５間の遮断状態を確実に自己保持することができ、汎用性の高い熱応動スイッチを実現することができる。
【００２４】
また、本実施形態例においては、第１のバイメタル片１２と第２のバイメタル片１３がそれぞれ復帰動作および反転動作する際に、第１および第２のバイメタル片１２，１３の基部１２ａ，１３ａの支持高さを突部６ｂ，７によってそれぞれ嵩上げしているので、第１および第２のバイメタル片１２，１３の反転板バネ９に対する押込み量を大きく設定することができ、その結果、反転板バネ９を確実に復帰および反転させて信頼性に優れた熱応動スイッチを実現できる。
【００２５】
また、本実施形態例においては、収納室１ａの天井面に形成した突起８によって復帰状態の反転板バネ９を付勢し、この反転板バネ９に設けた可動接点１０，１１を固定接点４ａ，５ａに弾性付勢するようにしたので、これら接点どうしを安定した状態で接触させることができ、さらに信頼性に優れた熱応動スイッチを実現できる。
【００２６】
図６は本発明の第２の実施形態例に係る熱応動スイッチの初期状態を示す断面図であり、図１〜図５に対応する部分には同一符号を付してある。
【００２７】
前述した第１の実施形態例においては、熱応動スイッチをスイッチオン状態へリセットするために第１のバイメタル片１２を第１の復帰温度（０℃）以下に冷却する必要があったが、この第２の実施形態例においては、第１の復帰温度まで冷却することなく、ノーマル状態においても強制的にリセット操作できるように構成したものである。
【００２８】
すなわち、図６に示すように、下ケース２には載置面６ａの中央部から下ケース２の下面に貫通する挿通孔１４が形成されており、この挿通孔１４は互いに連通する上部側の大径孔１４ａと下方側の小径孔１４ｂとを有している。挿通孔１４にはプッシュロッド１５が挿通されており、このプッシュロッド１５は下ケース２に対して上下方向にスライド可能に支持されている。プッシュロッド１５は大径孔１４ａに嵌合する大径部１５ａと小径孔１４ｂに嵌合する小径部１５ｂとを有しており、大径部１５ａが小径孔１４ｂの上端縁に当接することにより、プッシュロッド１５のハウジング１からの抜け落ちが防止されている。また、小径部１５ｂの下端部は下ケース２から下方へ突出しており、この小径部１５ｂの下端部をハウジング１の外部から内方へ押圧することにより、大径部１５ａを収納室１ａ内に突出することができるようになっている。
【００２９】
このように構成された熱応動スイッチでは、異常発熱によって両接点４，５間の導通が一旦遮断された後にノーマル状態（図５参照）まで冷却された状態において、操作者がプッシュロッド１５の下端部を押圧すると、プッシュロッド１５の大径部１５ａが収納室１ａ内へ突出して反転状態にある第１のバイメタル片１２の下面を上方へ押圧する。その結果、大径部１５ａが第１のバイメタル片１２を強制的に復帰動作させ、この第１のバイメタル片１２の変位により反転板バネ９が復帰させられるため、可動接点１０，１１と固定接点４ａ，５ａとが接触して図６に示す初期状態にリセットされる。このように第２の実施形態例に係る熱応動スイッチは、第１のバイメタル片１２を第１の復帰温度（０℃）まで冷却しなくとも、プッシュロッド１５の押圧操作によって両端子４，５間の導通を復帰させてスイッチオン状態にリセットすることができるので、操作性に優れた熱応動スイッチを実現することができる。
【００３０】
なお、上記各実施形態例では、熱応動片として熱膨張係数の異なる２枚の金属板を積層接合した第１および第２のバイメタル片１２，１３を使用した場合について説明したが、これら第１および第２のバイメタル片１２，１３の積層接合構造に中間層として金属板を挟んで構成したトリメタル片を使用することも可能である。
【００３１】
また、第１および第２のバイメタル片１２，１３の反転温度および復帰温度は上記各実施形態例で例示した設定値に限定されるものではなく、適宜変更することが可能である。
【図面の簡単な説明】
【００３２】
【図１】本発明の第１の実施形態例に係る熱応動スイッチの初期状態を示す断面図である。
【図２】該熱応動スイッチの分解斜視図である。
【図３】図１に示す第１の熱応動片が反転した状態を示す断面図である。
【図４】図３に示す第２の熱応動片が反転した状態を示す断面図である。
【図５】図４に示す第２の熱応動片が復帰した状態を示す断面図である。
【図６】本発明の第２の実施形態例に係る熱応動スイッチの初期状態を示す断面図である。
【符号の説明】
【００３３】
１  ハウジング
１ａ  収納室
２  下ケース
３  上ケース
４，５  端子
４ａ，５ａ  固定接点
６ｂ，７  突部
８  突起
９  反転板バネ
１０，１１  可動接点
１２  第１のバイメタル片（第１の熱応動片）
１３  第２のバイメタル片（第２の熱応動片）
１３ｄ  貫通孔
１４  挿通孔
１５  プッシュロッド
【図１】
2005071856.tif 000003
【図２】
2005071856.tif 000004
【図３】
2005071856.tif 000005
【図４】
2005071856.tif 000006
【図５】
2005071856.tif 000007
【図６】
2005071856.tif 000008